(57)【要約】      （修正有）【課題】パネル同士を円滑に回動自在に連結しつつ、連結ピンがピン孔から抜け出すことがない連結パネル、及び調理用油除けを提供する。【解決手段】連結するパネルＰそれぞれにピン孔が形成され、ピン孔を並列にしてパネル同士を相対的に回動自在に連結する略Ｕ字状の連結ピンＪを備え、連結ピンは、一定間隔をおいて２本の枢軸部が平行に形成されたピン本体１と、半径方向に拡縮する弾性を有してピン孔に圧入可能な外径を有すると共に、圧入後の内径が枢軸部の外形よりも大きい弾性スリーブ２と、弾性スリーブを予め挿入した枢軸部の一端に設けた弾性スリーブの抜け止め３とを備える。また、この連結ピンを用いて、ピン孔として側縁に縁巻きＲが形成された複数枚の金属製パネルを連結して調理用油除けを構成する。【選択図】図２
0003215252.tif 000002
【実用新案登録請求の範囲】
【請求項１】
連結するパネルそれぞれにピン孔が形成され、当該ピン孔を並列にして前記パネル同士を相対的に回動自在に連結する略Ｕ字状の連結ピンを備え、該連結ピンは、一定間隔をおいて２本の枢軸部が平行に形成されたピン本体と、半径方向に拡縮する弾性を有して前記ピン孔に圧入可能な外径を有すると共に、圧入後の内径が前記枢軸部の外形よりも大きい弾性スリーブと、該弾性スリーブを予め挿入した前記枢軸部の一端に設けた前記弾性スリーブの抜け止めとを備えることを特徴とした連結パネル。
【請求項２】
ピン本体は１本の鋼材を略Ｕ字状に折り曲げたものであり、抜け止めは前記鋼材をカシメ加工したものである請求項１記載の連結パネル。
【請求項３】
弾性スリーブは、軸方向にスリットを形成したロールピンである請求項１または２記載の連結パネル。
【請求項４】
スリットは波形である請求項３記載の連結パネル。
【請求項５】
弾性スリーブは、バネ性を有する金属板を円筒状に丸め加工したスパイロールピンである請求項１または２記載の連結パネル。
【請求項６】
弾性スリーブは、少なくとも圧入側端部が面取りされている請求項１から５のうち何れか一項記載の連結パネル。
【請求項７】
連結する二部材はパネルである請求項１から６のうち何れか一項記載の連結パネル。
【請求項８】
側縁に縁巻きが形成された複数枚の金属製パネルを、前記縁巻きをピン孔として請求項１から７のうち何れか一項記載の連結ピンによって連結したことを特徴とする調理用油除け。
【考案の詳細な説明】
【技術分野】
【０００１】
この考案は、パネル同士を回動自在に連結してなる調理用油除けに代表されるように、少なくとも２枚のパネルを回動自在に連結した連結パネルに関する。
【背景技術】
【０００２】
従来、調理用油除けとして、隣り合うパネルを、その側縁に形成した縁巻き（カーリング、耳巻きとも呼ばれる。）それぞれにＵ字ピンの軸部分を差し込んで回動自在に連結したものが公知である（特許文献１・２等）。この構成の調理用油除けによれば、設置環境に応じて、パネル間に適当な角度を付けて使用することができる。また、未使用時にはパネルを重ね合わせた状態に折り畳んで保管等することもできる。
【０００３】
なお、他の連結構造として蝶番も公知であるが（特許文献３）、この構成では、、１本のピンでパネルを連結する構造であるため、折り畳んだときに互いの縁部が干渉してパネル同士を完全に重ね合わせることができない。
【先行技術文献】
【特許文献】
【０００４】
【特許文献１】実公昭５９−６３２８号公報
【特許文献２】特開平８−６１６７７号公報
【特許文献３】実公昭５１−３３０５４号公報
【考案の概要】
【考案が解決しようとする課題】
【０００５】
上述のように、Ｕ字ピンによってパネル同士を連結したものは、未使用時にパネルを完全に重ね合わせた状態とすることができ、また、蝶番よりも構成が簡易で、組み立ても容易であるという利点があるが、Ｕ字ピンが抜けやすいという課題がある。
【０００６】
つまり、Ｕ字ピンの左右一対の軸部分それぞれは縁巻きの内径よりも直径が小さく成形され、これによってパネル同士を回動自在に連結するのであるが、軸部分と縁巻きとの間には隙間が生じるため、Ｕ字ピンが抜けやすいのである。
【０００７】
なお、使用者による組み立てや分解を可能とするために、意図的に、Ｕ字ピンを抜き差しできるように設計したものもある。
【０００８】
一方、Ｕ字ピンの軸部分の直径を縁巻きの内径以上として、当該Ｕ字ピンを縁巻きに抜脱不能に無理嵌めすることも考えられるが、そうすると、通常の力ではパネルを回動させることができなくなったり、パネルの無理な回動操作によって縁巻きやパネルを歪ませてしまうという別の問題が生じる。
【０００９】
本考案は上述した課題を解決するためになされたもので、その目的とするところは、少なくとも２枚のパネルを回動自在に連結しつつ、連結ピンがピン孔から抜け出すことがない連結パネルを提供することである。
【課題を解決するための手段】
【００１０】
上述した目的を達成するために本考案では、連結するパネルそれぞれにピン孔が形成され、当該ピン孔を並列にして前記パネル同士を相対的に回動自在に連結する略Ｕ字状の連結ピンを備え、前記連結ピンは一定間隔をおいて２本の枢軸部が平行に形成されたピン本体と、半径方向に拡縮する弾性を有して前記ピン孔に圧入可能な外径を有すると共に、圧入後の内径が前記枢軸部の外形よりも大きい弾性スリーブと、該弾性スリーブを予め挿入した前記枢軸部の一端に設けた前記弾性スリーブの抜け止めとを備える。
【００１１】
本考案の連結ピンは、予め枢軸部に弾性スリーブが抜け止め状態で挿入されており、弾性スリーブを連結対象となる部材のピン孔に圧入することで組み付けられる。この圧入によって連結ピンがピン孔から不用意に抜け出すのが防止される。なお、圧入後の弾性スリーブ内を枢軸部が回動自在であるので、パネル同士を相対的に回動自在に連結することができる。
【００１２】
成型上、ピン本体は１本の鋼材を略Ｕ字状に折り曲げたものであり、抜け止めは前記鋼材をカシメ加工したものであることが好ましい。
【００１３】
また、弾性スリーブは、スプリングピンを用いることが簡便であり、しかも、ピン孔がネジ穴であっても抜脱不能に圧入することが可能である。その中には、軸方向にスリットを形成したロールピンがあり、この場合、真円度が高く、ヘタリが少ないというメリットがある。また、ピン孔への圧入後、円周全面が孔内に接触して、連結ピンのピン孔からの抜けをより確実に防止することができる。
【００１４】
なお、ロールピンのスリットが波形であれば、連結ピンの製造段階において、当該ロールピン同士の絡み合いが少なくなる。
【００１５】
一方、弾性スリーブは、別のスプリングピンである、バネ性を有する金属板を円筒状に丸め加工したスパイロールピンであってもよく、この場合、ピンの外周全体が弾性を有し、振動や衝撃に強いというメリットがある。
【００１６】
さらに、弾性スリーブは、少なくとも圧入側端部が面取りされているものであることが好ましい。面取り（テーパ状端部）によってピン孔にスムーズに圧入することができるからである。
【００１７】
なお、連結するパネルは任意であるが、その縁部にピン孔を上下に設けたパネルであれば、同一構成のパネルを左右に回動自在に連結することができる。
【００１８】
そして、連結パネルの最も好適な適用例として、側縁に縁巻きが形成された複数枚の金属製パネルを、前記縁巻きをピン孔として連結ピンにより連結した調理用油除けがある。
【考案の効果】
【００１９】
本考案によれば、連結したパネルを軽い力で円滑に回動できるうえ、ピン孔から不用意に連結ピンが抜け出すことがない。したがって、連結パネルの操作性と信頼性を高めることができる。
【図面の簡単な説明】
【００２０】
【図１】本発明の一実施形態に係る調理用油除けの斜視図
【図２】同、図１の要部を拡大した分解斜視図
【図３】同、連結ピンとピン孔（縁巻き）との関係を示す説明図
【図４】同、連結ピンの製造工程を示す概略工程図
【図５】同、図１の要部を拡大した一部切欠斜視図
【図６】同、調理用油除けを折り畳んだ状態を示す平面図
【図７】弾性スリーブの別例を示す斜視図
【図８】弾性スリーブのさらなる別例を示す斜視図
【図９】連結ピン（抜け止め）の変形例を示す正面図
【考案を実施するための形態】
【００２１】
以下、本考案の好ましい実施の形態を添付した図面に従って説明する。図１は、本発明の一実施形態に係る調理用油除けを示したものである。この調理用油除けは、４枚の金属製パネルＰを後述する略Ｕ字状の連結ピンＪによって回動自在に連結したものである。
【００２２】
各パネルＰは、周縁をカール加工して縁巻きＲを形成している。このうち左右の縁巻きＲを利用して各パネルＰを連結するもので、左右の縁巻きＲに上下から後述する連結ピンＪを挿入している。
【００２３】
なお、パネルＰの表面には凹凸部Ｆを形成している。この凹凸部Ｆは、構造上はパネルＰの板面強度を高めるものであるが、意匠的には模様となる。
【００２４】
図２は、連結ピンＪによるパネルＰの連結部のうち、図１の一点鎖線円形で囲んだ部分を拡大したものである。他の連結部も同じ構成であり、パネルＰの縦方向の縁巻きＲをピン孔として、連結ピンＪは、略Ｕ字状（図面上は逆さとなっている）のピン本体１と、前記縁巻きＲに圧入する２組の弾性スリーブ２と、抜け止め３とを備えている。
【００２５】
図３は、連結ピンＪの詳細を示したものであり、ピン本体１は１本の丸棒状の鋼材をＵ字状に折り曲げて、湾曲部１ａの左右に２本の枢軸部１ｂを平行に設けたものである。弾性スリーブ２は、軸方向にスリット２ａを設けた円筒状部材からなり、半径方向に拡縮する弾性を有する。また、端部には面取り２ｂを設けている。なお、スリット２ａは本実施形態において波形であり、より具体的には、スプリングピンに属するロールピンを採用している。そして、抜け止め３は、弾性スリーブ２を挿入した後の枢軸部１ｂの端部をカシメ加工して形成したものである。
【００２６】
各部の寸法は、枢軸部１ｂの外径（直径）は弾性スリーブ２の内径よりも小さい。これは、後述するように、弾性スリーブ２を縁巻きＲに圧入した後も同じ関係である。つまり、枢軸部１ｂと弾性スリーブ２との間には常に一定の隙間があり、これによって弾性スリーブ２（を圧入したパネルＰ）が枢軸部１ｂを回転軸として３６０度回転自在となる。そして、抜け止め３（の最大寸法）は、圧入前の弾性スリーブ２の内径よりも大きく、弾性スリーブ２を常に枢軸部１ｂに保持する。
【００２７】
一方、弾性スリーブ２の圧入前の外径は、縁巻きＲの内径よりも大きい。したがって、弾性スリーブ２を縁巻きＲに圧入すると、弾性スリーブ２はスリット２ａのクリアランスを狭めて縮径することになる。
【００２８】
図４は、連結ピンＪの製造過程を示しており、まず適当な太さと長さの鋼棒をＵ字状に折り曲げ（同図（ａ））、その左右に平行する一対の枢軸部１ｂを形成し（同図（ｂ））、当該各枢軸部１ｂに弾性スリーブ２を挿入し（同図（ｃ））、最後に枢軸部１ｂの端部に抜け止め３を設けて連結ピンＪが完成する。
【００２９】
このような構成の連結ピンＪをパネルＰに組み付けるには、図５に示したように、隣り合うパネルＰの縁巻きＲを並列におき、各縁巻きＲに弾性スリーブ２を圧入する。弾性スリーブ２の端部には面取り３ｂが形成されているので、スムーズな圧入が可能である。この圧入によって弾性スリーブ２は、縁巻きＲ内で縮径した状態となるが、以降、反発力によって、その外周面が縁巻きＲに圧接し、弾性スリーブ２が縁巻きＲから不用意に抜け出すことがない。
【００３０】
そして、各パネルＰはピン本体１の枢軸部１ｂを回転軸として、互いのパネルＰが干渉することなく、３６０度の全範囲で回動することが可能となる。したがって、使用時には図１に示したように、各パネルＰに角度を付けた状態で立てて置くことができると共に、未使用時には、図６に示したように、４枚のパネルＰを平坦に重ね合わせることが可能である。
【００３１】
なお、本考案は、上述した実施形態に限定されず、調理用油除けのパネルＰの枚数は任意である。また、連結の対象も縁巻きＲを有するパネルＰに限定されず、ピン孔を有して、当該ピン孔を並列にして連結するものであれば、他のパネルであってもよい。
【００３２】
さらに、連結ピンＪについては、弾性スリーブ２は、上述した波形のロールピンの他、図７に示す直線スリットのロールピン、図８に示すバネ板材を二重に円筒状に巻いたスパイロールピンであってもよく、さらに、抜け止め３は、上述したカメシ加工によるものの他、図９に示すように、貫通ピン４を枢軸部１ｂに設けたり、あるいは、この部分を溶かすか、溶融したものを付着させて弾性スリーブ２の内径よりも大きい外形部分を形成してもよい。
【符号の説明】
【００３３】
Ｐ  パネル
Ｒ  縁巻き
Ｊ  連結ピン
１  ピン本体
１ｂ  枢軸部
２  弾性スリーブ
２ａ  スリット
２ｂ  面取り
３  抜け止め
【図１】
0003215252.tif 000003
【図２】
0003215252.tif 000004
【図３】
0003215252.tif 000005
【図４】
0003215252.tif 000006
【図５】
0003215252.tif 000007
【図６】
0003215252.tif 000008
【図７】
0003215252.tif 000009
【図８】
0003215252.tif 000010
【図９】
0003215252.tif 000011